(57)【要約】【課題】原稿画像を回転した状態で転写紙へ複写する動作を適切に行えるようにした複写機を提供することを目的としている。【解決手段】原稿の主走査長が不定形サイズであっても、原稿の副走査長が定形サイズであれば、画像を回転記録することで、原稿副走査長を転写紙の主走査長に変換することができるので、画像の欠けが発生することを防止することができるとともに、用紙の無駄を省くことができるという効果を得る。【選択図】          図１
2004289272.tif 000002
【特許請求の範囲】
【請求項１】
給紙する原稿の原稿給紙方向に対して直行する方向の長さを検知する原稿主走査幅検知手段と、
給紙する原稿の原稿給紙方向に対して平行する方向の長さを検知する原稿副走査長検知手段と、
給紙した原稿が不定形サイズであることを判断する不定形原稿判断手段と、
読み取った原稿画像を記憶する原稿画像記憶手段を備え、
上記不定形原稿判断手段により、不定形サイズであると判断された場合、上記原稿副走査長検知手段が検知した原稿副走査長を主走査長として持つ転写紙を選択し、上記原稿画像記憶手段に記憶された原稿画像を９０度回転した状態で、上記選択した転写紙に記録するようにしたことを特徴とする複写機。
【請求項２】
給紙する原稿の原稿給紙方向に対して直行する方向の長さを検知する原稿主走査幅検知手段と、
給紙する原稿の原稿給紙方向に対して平行する方向の長さを検知する原稿副走査長検知手段と、
給紙した原稿が不定形サイズであることを判断する不定形原稿判断手段と、
読み取った原稿画像を記憶する原稿画像記憶手段と、
不定形回転複写動作を許可するか否かを設定登録する不定形回転設定手段を備え、
上記不定形原稿判断手段により、不定形サイズであると判断された場合、上記不定形回転設定手段に不定形回転複写動作を許可する旨が登録されているときには、上記原稿副走査長検知手段が検知した原稿副走査長を主走査長として持つ転写紙を選択し、上記原稿画像記憶手段に記憶された原稿画像を９０度回転した状態で、上記選択した転写紙に記録するようにしたことを特徴とする複写機。
【請求項３】
前記転写紙がロール紙の場合、前記原稿主走査幅検知手段が検知したサイズよりも一段階大きいサイズに対応した主走査長で、上記転写紙を切断することを特徴とする請求項１または請求項２記載の複写機。
【発明の詳細な説明】
【０００１】
【発明の属する技術分野】
本発明は、不定形サイズの原稿画像を適切に複写することができる複写機に関する。
【０００２】
【従来の技術】
従来、複写機において、原稿サイズと用紙サイズを比較し、その比較結果に基づいて原稿の画像を拡大・縮小・回転し、用紙サイズに合わせて画像形成するようにしたものが提案されている（特許文献１参照）。
【０００３】
【特許文献１】
特開２００１−８６３２６号公報
【０００４】
【発明が解決しようとする課題】
しかしながら、このような従来装置では、用紙のサイズ（主走査・副走査）を走査し、用紙サイズが判明しない限り画像を回転記録するように判断することができないので、そのような回転記録動作を適切に行えないという事態を生じていた。また、転写紙に記録された複写画像が欠けるという事態を生じるおそれがある。
【０００５】
本発明は、かかる実情に鑑みてなされたものであり、原稿画像を回転した状態で転写紙へ複写する動作を適切に行えるようにした複写機を提供することを目的としている。
【０００６】
【課題を解決するための手段】
本発明は、給紙する原稿の原稿給紙方向に対して直行する方向の長さを検知する原稿主走査幅検知手段と、給紙する原稿の原稿給紙方向に対して平行する方向の長さを検知する原稿副走査長検知手段と、給紙した原稿が不定形サイズであることを判断する不定形原稿判断手段と、読み取った原稿画像を記憶する原稿画像記憶手段を備え、上記不定形原稿判断手段により、不定形サイズであると判断された場合、上記原稿副走査長検知手段が検知した原稿副走査長を主走査長として持つ転写紙を選択し、上記原稿画像記憶手段に記憶された原稿画像を９０度回転した状態で、上記選択した転写紙に記録するようにしたものである。
【０００７】
また、給紙する原稿の原稿給紙方向に対して直行する方向の長さを検知する原稿主走査幅検知手段と、給紙する原稿の原稿給紙方向に対して平行する方向の長さを検知する原稿副走査長検知手段と、給紙した原稿が不定形サイズであることを判断する不定形原稿判断手段と、読み取った原稿画像を記憶する原稿画像記憶手段と、不定形回転複写動作を許可するか否かを設定登録する不定形回転設定手段を備え、上記不定形原稿判断手段により、不定形サイズであると判断された場合、上記不定形回転設定手段に不定形回転複写動作を許可する旨が登録されているときには、上記原稿副走査長検知手段が検知した原稿副走査長を主走査長として持つ転写紙を選択し、上記原稿画像記憶手段に記憶された原稿画像を９０度回転した状態で、上記選択した転写紙に記録するようにしたものである。
【０００８】
また、前記転写紙がロール紙の場合、前記原稿主走査幅検知手段が検知したサイズよりも一段階大きいサイズに対応した主走査長で、上記転写紙を切断するようにしたものである。
【０００９】
【発明の実施の形態】
以下、添付図面を参照しながら、本発明の実施の形態を詳細に説明する。
【００１０】
図１は、本発明の一実施例にかかる複写機の原稿搬送系、および、複写プロセス系の一例を示している。
【００１１】
同図において、操作表示部１は、この複写機の操作を行うためのものであり、適宜な操作キーおよび表示器が設けられている。また、原稿読取部２は、原稿給紙部３から原稿排出部４への原稿搬送経路に移動される読取原稿の読み取り面の画像を読取入力するためのものである。
【００１２】
また、原稿セットセンサＳ１は、原稿給紙部３に読取原稿がセットされたことを検出するためのものであり、原稿幅センサＳ２は、原稿給紙部３にセットされた読取原稿の原稿幅（副走査方向寸法）を検出するためのものである。なお、この場合、原稿セットセンサＳ１は、原稿幅センサＳ２の原点検出センサ（後述）として機能する。また、原稿レジストセンサＳ３は、読取原稿が、原稿読取部２の原稿読取位置（レジスト位置）に位置しているか否かを検出するためのものである。
【００１３】
また、カット紙収容部５は、定形サイズのカット紙の転写紙を収容するものであり、その転写紙は、カット紙給紙部６により１枚ずつ分離されて、転写紙給紙部７へ送り出される。そして、転写紙給紙部７は、転写紙の先端が所定のタイミングで作像部８へ送り出されるように動作し、作像部８の動作に同期して、搬送動作を行う。
【００１４】
作像部８は、図示しない画像光発生手段により感光体上に原稿画像の静電潜像を作成するとともに、その静電潜像をトナー現像し、さらに、トナー像を転写紙に転写するものであり、トナー像が転写された転写紙は、定着部９へ送られ、転写紙の表面にトナー像が熱定着される。そして、定着後の転写紙は、排紙搬送部１０により、排紙トレイ１１に排出される。
【００１５】
また、ロール紙収容１２は、Ａ幅のロール状転写紙１２ａと、Ｂ幅のロール状転写紙１２ｂを収容しており、ロール状転写紙１２ａは、ロール紙給紙部１２ｃにより転写紙給紙部７へ送り出され、また、ロール状転写紙１２ｂは、ロール紙給紙部１２ｄにより転写紙給紙部７へ送り出される。
【００１６】
転写紙長センサＳ４は、ロール状転写紙１２ａ，１２ｂの送り出し長さ（主走査方向長さ）を検出するためのものであり、また、ロール紙カッター１３は、ロール状転写紙１２ａ，１２ｂを切断するためのものである。
【００１７】
また、転写紙給紙部７へ送り出されたロール状転写紙１２ａ，１２ｂは、カット紙の転写紙と同様にして、作像部８でトナー像が転写され、定着部９でトナー像が熱定着され、排紙搬送部１０により、排紙トレイ１１へ排出される。また、ロール状転写紙１２ａ，１２ｂは、所定の長さまで送り出された時点で、ロール紙カッター１３により、その後端が切断される。
【００１８】
図２は、原稿セットセンサＳ１、および、原稿幅センサＳ２による原稿幅検出の態様を例示したものである。
【００１９】
この場合、原稿幅センサＳ２は、原稿主走査方向中央位置の基準位置（センター基準）から１４０（ｍｍ）の位置に配置されたセンサＳ２１、基準位置から１９５（ｍｍ）の位置に配置されたセンサＳ３１、基準位置から２８０（ｍｍ）の位置に配置されたセンサＳ２３、および、基準位置から４００（ｍｍ）の位置に配置されたセンサＳ２４の４つのセンサ群から構成される。また、上述したように、原稿セットセンサＳ１は、基準位置に原稿が位置することを検出するように機能する。
【００２０】
図３は、本発明の一実施例にかかる複写機の制御系の一例を示している。
【００２１】
同図において、システム制御部２１は、この複写機の複写動作等を制御したり、原稿画像の回転処理等の種々の画像処理等を行うためのものであり、操作表示処理部２２は、操作表示部１によるキー入力処理および表示処理を行うためのものであり、センサ群２３は、上述した各種センサ（Ｓ１〜Ｓ４）を示す。
【００２２】
また、原稿搬送系２４は、原稿給紙部３および原稿排紙部４による原稿搬送動作を行うためのものであり、画像読取系２５は、原稿読取部２の原稿読取動作を行うためのものであり、原稿画像記憶部２６は、原稿読取系２５により読取入力された原稿画像データを蓄積するためのものである。
【００２３】
また、作像プロセス系２７は、作像部８および定着部９の作像プロセスを行うためのものであり、転写紙搬送系２８は、転写紙給紙部７の搬送動作を行うためのものであり、カット紙／ロール紙給紙系２９は、カット紙給紙部６およびロール紙給紙部１２ｃ，１２ｄの動作を行うためのものであり、ロール紙カッタ部３０は、ロール紙カッター１３の駆動を行うためのものである。
【００２４】
図４および図５は、複写機の複写処理の一例を示している。
【００２５】
まず、原稿セットセンサＳ１がオンすることを監視しており（判断１０１のＮＯループ）、判断１０１の結果がＹＥＳになると、原稿幅センサＳ２により原稿主走査幅を検知するとともに、原稿給紙を開始する（処理１０２）。
【００２６】
ここで、原稿レジストセンサＳ３がオフしているかどうかを調べ（判断１０３のＮＯループ）、判断１０３の結果がＹＥＳになるときには、原稿副走査長測定を開始するとともに、原稿読取部２の原稿読取動作を開始し、また、それによって得られた原稿画像データを原稿画像記憶部２６に順次記憶する動作も開始する（処理１０４）。
【００２７】
この状態で、読取原稿の後端部が原稿読取部２の読取位置に達して、原稿レジストセンサＳ３がオフするまで待つ（判断１０５のＮＯループ）。判断１０５の結果がＹＥＳになると、原稿副走査長測定を終了し、原稿読取動作を終了し、原稿画像データの記憶動作を終了する（処理１０６）。
【００２８】
ここで、測定した原稿副走査長に基づいて、不定形サイズの原稿の画像であるか否かを判定し、不定形サイズの原稿の場合には、図６に示すような不定形回転設定画面を表示して、ユーザに原稿画像を９０度回転して記録する動作モードを行うか否かを選択させる（処理１０７、判断１０８）。
【００２９】
ユーザが不定形回転動作を許可した場合で、判断１０８の結果がＹＥＳになるときには、原稿副走査長がいずれかの定形サイズの主走査長に一致するかどうかを調べる（判断１０９）。
【００３０】
判断１０９の結果がＹＥＳになるときには、原稿副走査長を主走査長に持つ転写紙を選択し、当該選択した転写紙の給紙を開始する（処理１１０）。そして、原稿画像記憶部２６より原稿画像を読み出して（処理１１１）、９０度回転し（処理１１２）、回転した原稿画像を転写紙に転写・定着する（処理１１３）。
【００３１】
そして、転写紙の送り出し長さが、原稿幅センサＳ２のうちオンとなっているセンサの１つ外側のセンサ位置に対応した長さに一致するまで待ち（判断１１４のＮＯループ）、判断１１４の結果がＹＥＳになると、転写紙の長さ測定を終了して、ロール紙カッター１３により、転写紙を切断する（処理１１５）。
【００３２】
その後は、画像が記録された転写紙を排紙して（処理１１６）、このときの複写動作を終了する。
【００３３】
また、判断１０９の結果がＮＯになるとき、および、判断１０８の結果がＮＯになるときには、原稿主走査幅と同じ寸法の主走査幅を持つ転写紙を選択して、当該選択した転写紙の給紙を開始し（処理１１７）、原稿画像記憶部２６より原稿画像を読み出して（処理１１８）、読み出した原稿画像を転写紙に転写・定着する（処理１１９）。
【００３４】
そして、転写紙の送り出し長さが、原稿の副走査方向長に一致するまで待ち（判断１２０のＮＯループ）、判断１２０の結果がＹＥＳになると、転写紙の長さ測定を終了して、ロール紙カッター１３により、転写紙を切断する（処理１２１）。
【００３５】
その後は、処理１１６へ進み、画像が記録された転写紙を排紙して、このときの複写動作を終了する。
【００３６】
例えば、主走査幅が４４０（ｍｍ）、副走査幅が５９４（ｍｍ）の原稿の場合、主走査幅は不定形サイズであるが副走査幅は定形（Ａ２サイズ）である。したがって、この場合には、副走査長が主走査長に一致する転写紙、すなわち、Ａ２サイズが選択され、画像が９０度回転された状態で記録される。また、この場合、主走査幅が４４０（ｍｍ）であり、図２を参照すると、センサＳ２２とセンサＳ３の間に位置するので、センサＳ３の位置に対応した長さ、すなわち、２８０ｘ２＝５６０（ｍｍ）の長さ位置で切断する。
【００３７】
また、原稿副走査長が定形であり、原稿主走査幅がセンサＳ２１とセンサＳ２２との間にあった場合、センサＳ２２の位置の長さで転写紙をカットする。また、原稿副走査長が定形であり、原稿主走査幅がセンサＳ２２とセンサＳ２３との間にあった場合、センサＳ２３の位置の長さで転写紙をカットする。
【００３８】
このようにして、本実施例では、原稿の主走査長が不定形サイズであっても、原稿の副走査長が定形サイズであれば、画像を回転記録することで、原稿副走査長を転写紙の主走査長に変換することができるので、画像の欠けが発生することを防止することができるとともに、用紙の無駄を省くことができる。
【００３９】
【発明の効果】
以上説明したように、本発明によれば、給紙する原稿の原稿給紙方向に対して直行する方向の長さを検知する原稿主走査幅検知手段と、給紙する原稿の原稿給紙方向に対して平行する方向の長さを検知する原稿副走査長検知手段と、給紙した原稿が不定形サイズであることを判断する不定形原稿判断手段と、読み取った原稿画像を記憶する原稿画像記憶手段を備え、上記不定形原稿判断手段により、不定形サイズであると判断された場合、上記原稿副走査長検知手段が検知した原稿副走査長を主走査長として持つ転写紙を選択し、上記原稿画像記憶手段に記憶された原稿画像を９０度回転した状態で、上記選択した転写紙に記録するようにしたので、原稿の主走査長が不定形サイズであっても、原稿の副走査長が定形サイズであれば、画像を回転記録することで、原稿副走査長を転写紙の主走査長に変換することができるので、画像の欠けが発生することを防止することができるとともに、用紙の無駄を省くことができるという効果を得る。
【図面の簡単な説明】
【図１】本発明の一実施例にかかる複写機の原稿搬送系、および、複写プロセス系の一例を示した概略構成図。
【図２】原稿セットセンサＳ１、および、原稿幅センサＳ２による原稿幅検出の態様（センター基準）を例示した概略図。
【図３】本発明の一実施例にかかる複写機の制御系の一例を示したブロック図。
【図４】複写機の複写処理の一例を示したフローチャート。
【図５】複写機の複写処理の一例を示したフローチャート（図４の続き）。
【図６】不定形回転設定画面の一例を示した概略図。
【符号の説明】
Ｓ１  原稿セットセンサ
Ｓ２  原稿幅センサ
Ｓ３  原稿レジストセンサ
Ｓ４  転写紙長センサ
２１  システム制御部
２２  操作表示処理部
２３  センサ群
２４  原稿搬送系
２５  原稿読取系
２６  原稿画像記憶部
２７  作像プロセス系
２８  転写紙搬送系
２９  カット紙／ロール紙給紙系
３０  ロール紙カッタ部
【図１】
2004289272.tif 000003
【図２】
2004289272.tif 000004
【図３】
2004289272.tif 000005
【図４】
2004289272.tif 000006
【図５】
2004289272.tif 000007
【図６】
2004289272.tif 000008